(57)【要約】【課題】静電気の放電による破壊や誤動作を防止した信頼性の高い電子機器システム、並びにその電子機器システムを構成する第１の電子機器及び第２の電子機器を提供する。【解決手段】カメラシステムは、撮像レンズユニット１１０とカメラ本体１５０とで構成されている。カメラ本体１５０は、撮像レンズユニット１１０と通信するための本体側電気接点１７０と、マウント部１５１の開口を塞ぎ、カメラ本体１５０のグランドに接続されたマウントバリア１５２とを備えている。また、撮像レンズユニット１１０は、グランドに接続され、装着時にマウントバリア１５２に当接してカメラ本体１５０のグランドに接続され、マウントバリア１５２を内部に押圧する押圧部１２０と、装着後に本体側電気接点１７０と電気的に接続される撮像レンズユニット側電気接点１２１とを備えている。【選択図】図４
2007093956.tif 000002
【特許請求の範囲】
【請求項１】
バヨネット爪を備えた第１の電子機器と、
前記第１の電子機器が着脱自在に装着されるマウント部を備え、該マウント部に前記バヨネット爪と係合するバヨネット爪係合部が設けられ、前記バヨネット爪と前記バヨネット爪を結合させることで装着された第１の電子機器と通信を行う第２の電子機器と
を有する電子機器システムにおいて、
前記第２の電子機器が、
前記第２の電子機器内部に配備され、前記第１の電子機器の装着時に該第１の電子機器との間で通信を行うための第２の電子機器側接点と、
前記マウント部に備えられている開口を塞ぐとともに、前記第１の電子機器の装着時に該第１の電子機器に押されて前記第２の電子機器内部に後退する、該第2の電子機器の電気的なグランドに接続されたグランド接点を有するマウントバリアとを備え、
前記第１の電子機器が、
該第１の電子機器の電気的なグランドに接続され、装着時に前記グランド接点に当接して該第１の電子機器と前記第2の電子機器との間のグランド同士を接続するとともに該マウントバリアを前記第２の電子機器内部に向けて押圧する押圧部と、
前記バヨネット爪の面のうち、前記第2の電子機器と離した状態で前記マウントバリアと対向する面の裏面に配備され、装着時において該押圧部が該マウントバリアを前記第２の電子機器内部に向けて押圧を開始した後において前記第2の電子機器側電気接点に接続される第１の電子機器側電気接点とを
備えたことを特徴とする電子機器システム。
【請求項２】
前記マウントバリアは、前記マウント部に備えられている開口を塞ぐ閉じ位置にバネ付勢され、前記第１の電子機器の装着時に前記押圧部に押されて前記第２の電子機器内部に後退するとともに該第１の電子機器の取り外し時には前記バネ付勢により前記マウント部に備えられている開口を塞ぐ位置に戻るものであることを特徴とする請求項１の電子機器システム。
【請求項３】
装着時に該押圧部が該マウントバリアを前記第２の電子機器内部に向けて押圧を開始した後において、前記第１の電子機器の回転操作によって第1の電子機器側電気接点と前記第2の電子機器側電気接点とが接続されることを特徴とする請求項１または請求項２記載の電子機器システム。
【請求項４】
前記グランド接点は、該マウントバリア表面のほぼ中央部に形成されていることを特徴する請求項１から請求項３のうちいずれかに記載の電子機器システム。
【請求項５】
前記グランド接点は、該マウントバリア表面に形成された環状に形成されていることを特徴とする請求項１から請求項３のうちいずれかに記載の電子機器システム。
【請求項６】
前記グランド接点は、該マウントバリア表面に該マウントバリアの中央部を取り巻くように複数配置されていることを特徴とする請求項１から請求項３のうちいずれかに記載の電子機器システム。
【請求項７】
前記グランド接点は、３箇所からなることを特徴とする請求項６記載の電子機器システム。
【請求項８】
前記グランド接点は、平板からなることを特徴とする請求項１から請求項６のうちいずれかに記載の電子機器システム。
【請求項９】
前記グランド接点は、突起からなることを特徴とする請求項１から請求項６のうちいずれかに記載の電子機器システム。
【請求項１０】
前記グランド接点は、前記第２の電子機器の電気的なグランドに接続され、且つ、前記マウントバリアに向けて伸張する伝導性の付勢物からなることを特徴とする請求項１から請求項６のうちいずれかに記載の電子機器システム。
【請求項１１】
前記押圧部は、装着時に前記マウントバリア側を向く面のほぼ中央部に形成されていることを特徴とする請求項１から請求項１０のうちいずれかに記載の電子機器システム。
【請求項１２】
前記押圧部は、装着時に前記マウントバリアを向く面に、環状に形成されていることを特徴とする請求項１から請求項１０のうちいずれかに記載の電子機器システム。
【請求項１３】
前記押圧部は、装着時に前記マウントバリアを向く面に、中央部を取り巻くように複数形成されていることを特徴とする請求項１から請求項１０のうちいずれかに記載の電子機器システム。
【請求項１４】
前記押圧部は、３箇所からなることを特徴とする請求項１３に記載の電子機器システム。
【請求項１５】
前記押圧部は、前記第１の電子機器側電気接点の近傍にそれぞれ配置されていることを特徴とする請求項１から請求項１４のうちいずれかに記載の電子機器システム。
【請求項１６】
前記押圧部は、平板からなることを特徴とする請求項１から請求項１５のうちいずれかに記載の電子機器システム。
【請求項１７】
前記押圧部は、突起からなることを特徴とする請求項１から請求項１５のうちいずれかに記載の電子機器システム。
【請求項１８】
前記押圧部は、前記第１の電子機器の電気的なグランドに接続され、且つ、前記マウントバリアに向けて伸張する伝導性の付勢物から形成されていることを特徴とする請求項１から請求項１５のうちいずれかに記載の電子機器システム。
【請求項１９】
前記バヨネット爪は、光軸方向に対し垂直な面内に離散的に３つ備えられていることを特徴とする請求項１から請求項１８のうちいずれかに記載の電子機器システム。
【請求項２０】
前記第２の電子機器側電気接点および前記第1の電子機器側電気接点は、
前記第１の電子機器からの前記第2の電子機器の取り外し時において、前記グランド接点が離れる前に第１、第２の電子機器側電気接点が先に離れる位置に配備されていることを特徴とする請求項１から請求項１９のうちいずれかに記載の電子機器システム。
【請求項２１】
前記第2の電子機器が、該第2の電子機器のグランドに接続され、且つ、前記第1の電子機器装着時に該第1の電子機器に押されて前記第２の電子機器の内部に向けて押圧された前記マウントバリア背面に接触して、該マウントバリアの、接触抵抗を下げる接点部材を備えたことを特徴とする請求項１から請求項２０のうちいずれかに記載の電子機器システム。
【請求項２２】
前記押圧部よりも前記グランド接点の耐摩耗性が高いことを特徴とする請求項１から請求項２１のうちいずれかに記載の電子機器システム。
【請求項２３】
前記バヨネット爪は、マウントバリアを向く面上において光軸方向に対し垂直な面内に離散的に４つ備えられ、そのうち対向する２つのバヨネット爪の面のうち、前記第2の電子機器と離した状態で前記マウントバリアと対向する面の裏面に前記第１の電子機器側電気接点を設けたことを特徴とする請求項１から請求項２２のうちいずれかに記載の電子機器システム。
【請求項２４】
前記バヨネット爪に設けられた電気接点は付勢物により前記第２の電子機器側電気接点に向けて突出する構造であることを特徴とする請求項１から請求項２３のうちいずれかに記載の電子機器システム。
【請求項２５】
前記第1の電子機器は撮像光学系を有する撮像レンズユニットであり、第2の電子機器は前記撮像レンズユニットと通信を行い該撮像光学系の制御を行う撮像光学系制御部を備えたカメラ本体であることを特徴とする請求項１から請求項２４のうちいずれかに記載の電子機器システム。
【請求項２６】
前記第1の電子機器は撮像光学系と撮像素子を有する撮像レンズユニットであり、第2の電子機器は前記撮像レンズユニットと通信を行い該撮像レンズユニットから画像信号を受け取って画像を表示する表示部を備えたカメラ本体であることを特徴とする請求項１から請求項２４のうちいずれかに記載の電子機器システム。
【請求項２７】
バヨネット爪と、押圧部と、第1の電子機器側電気接点とを備えた第１の電子機器と結合することで前記第１の電子機器と通信を行う第２の電子機器において、
第１の電子機器が着脱自在に装着されるマウント部と、
該マウント部に設けられ、前記バヨネット爪と結合させるバヨネット爪系合部と、
前記第２の電子機器内部において、前記第1の電子機器と離した状態で前記第1の電子機器と対向する面の裏側に配備され、前記第１の電子機器との間で通信を行うための第２の電子機器側接点と、
前記マウント部に備えられている開口を塞ぐとともに、前記第1の電子機器の装着時に該第1の電子機器に押されて前記第２の電子機器内部に後退する、該第2の電子機器の電気的なグランドに接続されたグランド接点を有するマウントバリアとを備え、
第１の電子機器側電気接点は、前記バヨネット爪の面のうち、第２の電子機器と離した状態で前記第２の電子機器と対向する面の裏面に配備され、装着時において前記押圧部が前記第２の電子機器内部に向けて押圧を開始した後において第2の電子機器側電気接点に接続され、
前記押圧部は、第1の電子機器の電気的なグランドに接続されており、装着時にグランド接点に当接して該第1の電子機器と前記第2の電子機器との間のグランド同士を接続するとともに該マウントバリアを前記第２の電子機器内部に向けて押圧することを特徴とする第２の電子機器。
【請求項２８】
前記グランド接点は、該マウントバリア表面のほぼ中央部に形成されていることを特徴する請求項２７に記載の第2の電子機器。
【請求項２９】
前記グランド接点は、該マウントバリア表面に環状形成されていることを特徴とする請求項２７に記載の第2の電子機器。
【請求項３０】
前記グランド接点は、該マウントバリア表面に該マウントバリアの中央部を取り巻くように複数配置されていることを特徴とする請求項２７に記載の第2の電子機器。
【請求項３１】
前記グランド接点は、３つからなることを特徴とする請求項３０記載の第2の電子機器。
【請求項３２】
前記グランド接点は、平板からなることを特徴とする請求項２７から請求項３１のうちいずれかに記載の第2の電子機器。
【請求項３３】
前記グランド接点は、前記第２の電子機器の電気的なグランドに接続され、且つ、前記マウントバリアに向けて伸張する伝導性の付勢物からなることを特徴とする請求項２７から請求項３１のうちいずれかに記載の第2の電子機器。
【請求項３４】
前記グランド接点は、突起からなることを特徴とする請求項２７から請求項３１のうちいずれかに記載の第2の電子機器。
【請求項３５】
前記バヨネット爪は光軸方向に対し垂直な面内に離散的に３つ備えられていることを特徴とする請求項２７から請求項３４のうちいずれかに記載の第２の電子機器。
【請求項３６】
前記押圧部は前記第１の電子機器側電気接点の近傍にそれぞれ配置されていることを特徴とする請求項２７から請求項３５のうちいずれかに記載の第２の電子機器。
【請求項３７】
前記押圧部よりも前記グランド接点の耐摩耗性が高いことを特徴とする請求項２７から請求項３６記載の第２の電子機器。
【請求項３８】
前記第1の電子機器は撮像光学系を有するレンズユニットであり、第2の電子機器は前記撮像レンズユニットと通信を行い該撮像光学系の制御を行う撮像光学系制御部を備えたカメラ本体であることを特徴とする請求項２７から請求項３７のうちいずれかに記載の第２の電子機器。
【請求項３９】
前記第1の電子機器は撮像光学系と撮像素子を有する撮像レンズユニットであり、第2の電子機器は前記撮像レンズユニットと通信を行い該撮像レンズユニットから画像信号を受け取って画像を表示する表示部を備えたカメラ本体であることを特徴とする請求項２７から請求項３７のうちいずれかに記載の第２の電子機器。
【請求項４０】
第２の電子機器内部に配備され、第1の電子機器の装着時に該第1の電子機器との間で通信を行うための第２の電子機器側接点と、
前記第1の電子機器が着脱自在に装着されるマウント部と、
該マウント部に設けられたバヨネット爪係合部と、
前記マウント部に備えられている開口を塞ぐとともに、前記第1の電子機器の装着時に該第1の電子機器に押されて前記第２の電子機器内部に後退する、該第2の電子機器の電気的なグランドに接続されたグランド接点を有するマウントバリアとを備えた第２の電子機器が着脱自在に装着される第１の電子機器において、
前記バヨネット爪係合部と係合するバヨネット爪と、
該第1の電子機器の電気的なグランドに接続され、装着時に前記グランド接点に当接して該第1の電子機器と前記第2の電子機器との間のグランド同士を接続するとともに該マウントバリアを前記第２の電子機器内部に向けて押圧する押圧部と、
前記バヨネット爪の面のうち、前記第2の電子機器と離した状態で前記マウントバリアと対向する面の裏面に配備され、装着時において該押圧部が該マウントバリアを前記第２の電子機器内部に向けて押圧を開始した後において前記第2の電子機器側電気接点に接続される第1の電子機器側電気接点と、
を備えたことを特徴とする第１の電子機器
【請求項４１】
前記押圧部は、前記第1の電子機器側電気接点の近傍にそれぞれ配置されていることを特徴とする請求項４０に記載の第１の電子機器。
【請求項４２】
前記押圧部よりも前記グランド接点の耐摩耗性が高いことを特徴とする請求項４０から請求項４１のうちいずれかに記載の第１の電子機器。
【請求項４３】
前記押圧部は、装着時に前記マウントバリア側を向く面の中央部に形成されていることを特徴とする請求項４０から請求項４２のうちいずれかに記載の第１の電子機器。
【請求項４４】
前記押圧部は、装着時に前記マウントバリアを向く面に、環状に形成されていることを特徴とする請求項４０から請求項４２のうちいずれかに記載の第１の電子機器。
【請求項４５】
前記押圧部は、装着時に前記マウントバリアを向く面に、該面の中央部を取り巻くように複数形成されていることを特徴とする請求項４０から請求項４２のうちいずれかに記載の第１の電子機器。
【請求項４６】
前記押圧部は、３箇所からなることを特徴とする請求項４０から請求項４５のうちいずれかに記載の第１の電子機器。
【請求項４７】
前記押圧部は、前記第２の電子機器の電気的なグランドに接続され、且つ、前記マウントバリアに向けて伸張する伝導性の付勢物からなることを特徴とする請求項４０から請求項４６のうちいずれかに記載の第１の電子機器。
【請求項４８】
前記押圧部は、突起をからなることを特徴とする請求項４０から請求項４６のうちいずれかに記載の第１の電子機器。
【請求項４９】
前記押圧部は、平板からなることを特徴とする請求項４０から請求項４６のうちいずれかに記載の第１の電子機器。
【請求項５０】
前記バヨネット爪は、光軸方向に対し垂直な面内に離散的に３つ備えられていることを特徴とする請求項４０から請求項４９のうちいずれかに記載の第１の電子機器。
【請求項５１】
前記バヨネット爪は、マウントバリアを向く面上において光軸方向と垂直な面内に離散的に４つ備えられ、そのうち対向する２つのバヨネット爪の面のうち、前記第2の電子機器と離した状態で前記マウントバリアと対向する面の裏面に電気接点を設けたことを特徴とする請求項４０から請求項４９のうちいずれかに記載の第１の電子機器。
【請求項５２】
前記第２の電子機器に装着された際に、前記接点または前記第２の電子機器側接点のいずれか一方が、付勢部材によって他方に向けて突出する構造であることを特徴とする請求項４７から請求項５１のうちいずれかに記載の第１の電子機器。
【請求項５３】
前記第1の電子機器は撮像光学系を有するレンズユニットであり、第２の電子機器は前記撮像レンズユニットと通信を行い該撮像光学系の制御を行う撮像光学系制御部を備えたカメラ本体であることを特徴とする請求項４７から請求項５２のうちいずれかに記載の第１の電子機器。
【請求項５４】
前記第1の電子機器は撮像光学系と撮像素子を有する撮像レンズユニットであり、第2の電子機器は前記撮像レンズユニットと通信を行い該撮像レンズユニットから画像信号を受け取って画像を表示する表示部を備えたカメラ本体であることを特徴とする請求項４７から請求項５３のうちいずれかに記載の第１の電子機器。
【発明の詳細な説明】
【技術分野】
【０００１】
本発明は、電子機器システムに関し、さらに詳しくは、２つの電子機器を接続して使用する電子機器システムのグランド端子、電気接点の接続構造に関する。
【背景技術】
【０００２】
２つの電子機器を接続し、電子機器システムとして使用するものとして、従来、例えば銀塩カメラの分野では、撮影レンズがカメラ本体に着脱自在に装着されるレンズ着脱式のカメラシステムなどが知られている。
【０００３】
近年、デジタルカメラの分野においても、銀塩カメラの分野と同様に、２つの電子機器を接続し、電子機器システムとして使用するものとしてレンズユニット着脱式のデジタルカメラが提案されており、例えば、撮影レンズと撮像素子とを一体化したレンズユニットの基端部外周に複数のバヨネット爪を形成するとともに、カメラ本体に設けられたレンズマウントに前記バヨネット爪が係合するバヨネット爪係合部を形成しておき、レンズユニット装着時には、レンズユニット側のバヨネット爪係合部をレンズマウントのバヨネット爪係合部に係合させてレンズユニットを回動させることによりレンズユニット側とカメラ本体側の双方のコネクタが接続されるようにレンズ交換式のカメラシステムが開示されている。
【０００４】
しかし、特許文献１に開示されたカメラシステムでは、レンズユニットがカメラ本体に装着されていないときには、カメラ本体側のコネクタの電気接点が露出しており、静電気に帯電した手が近づくと電気接点に放電して内部の素子が破壊したり、カメラシステムが誤動作したりするなどトラブルの原因となることがある。また、レンズユニット側が静電気に帯電している状態でカメラ本体に接続された場合には、帯電したレンズユニット側からカメラ本体に放電が起こり、カメラ本体内部の素子が破壊されたり誤動作したりする(例えば、特許文献１参照)。
【０００５】
また、着脱自在な撮影レンズが装着されるレンズマウント部と、撮影レンズにより結像された被写体像を撮像する撮像手段とを備えたカメラにおいて、撮影レンズが未装着の状態で人体などから静電気が印加されても、カメラが誤動作をしないようにするため、レンズマウント部に撮影レンズが装着されているか否かを検出するレンズ検出手段と、そのレンズ検出手段により撮影レンズの装着が検出されないときには、撮像手段への電源供給を遮断する電源遮断手段とを備えたカメラが開示されている(例えば、特許文献２参照)。
【特許文献１】特開２００３−１５６７９０号公報
【特許文献２】特開平９−５８５０号公報
【発明の開示】
【発明が解決しようとする課題】
【０００６】
しかし、前記文献に開示されたカメラでは、撮影レンズの装着の有無を検出するレンズ検出手段、および撮影レンズが未装着の時に撮像手段への電源供給を遮断する電源遮断手段を備える必要があるため、コストアップを招きやすいという問題がある。
【０００７】
また、このカメラでは、電源供給が遮断されるため、誤動作は防止できるが、カメラ本体側の電気接点と内部回路とが電気的に接続されている以上、電源供給が遮断されたからといって静電気に帯電した人体などから電気接点に放電して内部回路が破壊される危険性は未解決のまま残っている。本発明は、上記事情を鑑み、第１の電子機器の装着時および非装着時における静電気の放電による破壊や誤動作が防止された小型で信頼性の高い電子機器システム、並びに、その電子機器システムを構成する第１の電子機器および第２の電子機器を提供することを目的とする。
【課題を解決するための手段】
【０００８】
上記目的を達成する本発明の電子機器システムは、バヨネット爪を備えた第1の電子機器と、前記第1の電子機器が着脱自在に装着されるマウント部を備え、該マウント部に前記バヨネット爪と係合するバヨネット爪係合部が設けられ、前記バヨネット爪と前記バヨネット爪を結合させることで装着された第1の電子機器と通信を行う第２の電子機器と
を有する電子機器システムにおいて、前記第２の電子機器が、前記第２の電子機器内部に配備され、前記第1の電子機器の装着時に該第1の電子機器との間で通信を行うための第２の電子機器側接点と、前記マウント部に備えられている開口を塞ぐとともに、前記第1の電子機器の装着時に該第1の電子機器に押されて前記第２の電子機器内部に後退する、該第2の電子機器の電気的なグランドに接続されたグランド接点を有するマウントバリアとを備え、前記第1の電子機器が、該第1の電子機器の電気的なグランドに接続され、装着時に前記グランド接点に当接して該第1の電子機器と前記第2の電子機器との間のグランド同士を接続するとともに該マウントバリアを前記第２の電子機器内部に向けて押圧する押圧部と、前記バヨネット爪の面のうち、前記第2の電子機器と離した状態で前記マウントバリアと対向する面の裏面に配備され、装着時において該押圧部が該マウントバリアを前記第２の電子機器内部に向けて押圧を開始した後において前記第2の電子機器側電気接点に接続される第1の電子機器側電気接点とを備えたことを特徴とする。
【０００９】
本発明の電子機器システムによれば、前記第2の電子機器に前記第1の電子機器が装着される時には、前記第1の電子機器側電気接点と前記第2の電子機器側電気接点とが電気的に接続される前に、前記第1の電気接点の電気的なグランドと前記第2の電気接点の電気的なグランドとが接続されるので、前記第1の電子機器の装着時と非装着時とを問わず、静電気の放電による破壊や誤動作を防止することができる。
【００１０】
前記第1の電子機器と前記第2の電子機器を装着時に、前記押圧部が前記マウントバリアに当接してその前記第1の電子機器と前記第2の電子機器との間のグランド同士を接続するとともにそのマウントバリアを前記マウント部の凹部奥に向けて押圧し、前記第2の電子機器から見て前記押圧部がそのマウントバリアを前記マウント部の凹部奥に向けて押圧を開始した後において前記本体側電気接点と前記第1の電子機器側電気接点が電気的に接続されることが望ましい。
【００１１】
ここで、前記マウントバリアは、バネ付勢を受けて前記マウント開口を塞ぐものであって、前記第1の電子機器の装着時に前記押圧部に押されて前記マウント部の凹部奥に後退するとともにその前記第1の電子機器の取り外し時には前記バネ付勢により前記マウント部に備えられている開口を塞ぐ位置に戻るものであることが好ましい。
【００１２】
本発明のカメラシステムを前記のような構成とした場合は、バネを取り付けるだけの簡単な構成によって、前記第1の電子機器の取り外し後の電子機器システムを、静電気の放電による破壊や誤動作やゴミの進入などから保護することが可能となる。また、ここではバネ付勢によってマウント部に備えられている開口を塞ぐ位置に戻る構造を示したが、伸縮する伝導体であればバネ以外の物を用いてもよい。
【００１３】
装着時に前記押圧部が前記マウントバリアを前記マウント部の凹部奥に向けて押圧を開始した後において、前記バヨネット爪の回転操作によって前記第1の電子機器側電気接点と前記第2の電子機器側電気接点とが接続されてもよい。
【００１４】
本発明の電子機器システムを上記のような構造とした場合は、回転操作により前記第1の電子機器と前記第2の電子機器の接続を容易に行うことができる。また、ここでは、バヨネット爪を用いた回転動作によって接続される方法を示したが、これに限るものではなく、直進動作やネジによる回転動作等、他の動作によって接続される方式を用いてもよい。
【００１５】
前記グランド接点は、前記マウントバリア表面のほぼ中央部に形成されていてもよい。
【００１６】
本発明の電子機器システムを前記のような構成とした場合は、前記マウントバリア表面のほぼ中央部に設けられたグランド接点と、前記第1の電子機器の押圧部との接触が容易になるので、静電気の放電による破壊から電子機器システムを確実に保護することができる。
【００１７】
また、前記グランド接点は、前記マウントバリア表面に形成された環状に形成されていてもよい。
【００１８】
本発明の電子機器システムを前記のような構成とした場合は、この前記第2の電子機器側の環状のグランド接点と、前記第１の電子機器側の押圧部との接触抵抗を低下させることが可能となるので、静電気の放電による破壊から電子機器システムを確実に保護することができる。
【００１９】
さらに、前記グランド接点は、前記マウントバリア表面の中央部を取り巻くように配置されていてもよい。
【００２０】
本発明の電子機器システムを上記のような構造とした場合は、このマウントバリアの中央部を取り巻くように配置された複数のグランド接点と、前記第1の電子機器側の押圧部との接触抵抗を低下させることが可能になるので、静電気の放電による破壊から電子機器システムを確実に保護することができる。
【００２１】
前記グランド接点は前記マウントバリアの中央部を取り巻くように３つ配置されていてもよい。
【００２２】
本発明の電子機器システムを上記のような構造とした場合は、このマウントバリアの中央部を取り巻くように配置された３つのグランド接点と、前記第1の電子機器側の押圧部との接触抵抗を確実に低下させることが可能になるので、静電気の放電による破壊から電子機器システムを確実に保護することができる。
【００２３】
前記グランド接点は、平板から形成されてもよい。
【００２４】
本発明の電子機器システムを上記のような構造とした場合には、この平板と、前記押圧部との接触抵抗をより確実に低下させることが可能になるので、静電気の放電による破壊から電子機器システムを確実に保護することができる。
【００２５】
前記グランド接点は、突起から形成されてもよい。
【００２６】
本発明の電子機器システムを上記のような構造とした場合には、この突起と、前記押圧部との接触抵抗をより確実に低下させることが可能になるので、静電気の放電による破壊から電子機器システムを確実に保護することができる。
【００２７】
前記グランド接点は、前記第２の電子機器の電気的なグランドに接続され、且つ、前記マウントバリアに向けて伸張する伝導性の付勢物から形成されていてもよい。
【００２８】
本発明の電子機器システムを上記のような構造とした場合には、このマウントバリアに向けて伸張する伝導性の付勢物と、前記押圧部との接触抵抗をより確実に低下させることが可能になるので、静電気の放電による破壊から電子機器システムを確実に保護することができる。
【００２９】
前記押圧部は、装着時に前記マウントバリア側を向く面の中央部に形成されていてもよい。
【００３０】
本発明の電子機器システムを前記のような構成とした場合は、面の中央部に形成された押圧部と、前記第2の電子機器のグランド接点との確実な接触により接触抵抗を確実に減らすことが可能になるので、静電気の放電による破壊から電子機器システムを確実に保護することができる。
【００３１】
また、前記押圧部は、装着時に前記マウントバリア側を向く面に、環状に形成された押圧部を有するものであってもよい。
【００３２】
本発明の電子機器システムを前記のような構成とした場合は、この環状に形成された押圧部と、前記第2の電子機器のグランド接点との確実な接触により接触抵抗を低下させることが可能になるので、静電気の放電による破壊から電子機器システムを確実に保護することができる。
【００３３】
また、前記押圧部は、装着時に前記マウントバリア側を向く面に、前記面の中央部を取り巻くように形成された押圧部を有するものであってもよい。
【００３４】
本発明の電子機器システムを前記のような構成とした場合は、この中央部を取り巻くように形成された押圧部と、前記第2の電子機器のグランド接点との確実な接触により接触抵抗を低下させることが可能になるので、静電気の放電による破壊から電子機器システムを確実に保護することができる。
【００３５】
また、前記中央部を取り巻くように形成された押圧部は、３つからなることが望ましい。
【００３６】
本発明の電子機器システムを前記のような構成とした場合は、３つからなる押圧部と前記第2の電子機器側グランド接点との接触が確実に行われるため、接触抵抗を低下させることが可能となるので、静電気の放電による破壊から電子機器システムを確実に保護することができる。
【００３７】
また、前記押圧部は前記第1の電子機器側電気接点の近傍にそれぞれ配置されている事が望ましい。
【００３８】
本発明の電子機器システムを前記のような構成とした場合は、前記第1の電子機器側電気接点で発生した静電気が、近傍に配置されている押圧部と前記第2の電子機器のグランド接点との接触により確実に放電されるので、静電気の放電による破壊から電子機器システムを確実に保護することができる。
【００３９】
前記押圧部は、平板から形成されていてもよい。
【００４０】
本発明の電子機器システムを前記のような構成とした場合は、前記平板と前記第2の電子機器のグランド接点との確実な接触により接触抵抗を低下させることが可能になるので、静電気の放電による破壊から電子機器システムを確実に保護することができる。
【００４１】
前記押圧部は、突起から形成されていてもよい。
【００４２】
本発明の電子機器システムを前記のような構成とした場合は、前記突起と、前記第2の電子機器のグランド接点との確実な接触により接触抵抗を低下させることが可能になるので、静電気の放電による破壊から電子機器システムを確実に保護することができる。
【００４３】
前記押圧部は、前記第１の電子機器の電気的なグランドに接続され、且つ、前記マウントバリアに向けて伸張する伝導性の付勢物から形成されていてもよい。
【００４４】
本発明の電子機器システムを前記のような構成とした場合は、このマウントバリアに向けて伸張する伝導性の付勢物と、前記第2の電子機器のグランド接点との接触が容易になるので接触抵抗が低下し、静電気の放電による破壊から電子機器システムを確実に保護することができる。
【００４５】
また、前記バヨネット爪は光軸と垂直な面内に離散的に３つ備えられていることが望ましい。
【００４６】
本発明の電子機器システムを前記のような構成とした場合は、バヨネット爪とバヨネット爪係合部の結合が３点で行われるため第1の電子機器と第2の電子機器の接続が確実に行われる。
【００４７】
前記第２の電子機器側電気接点および前記第1の電子機器側電気接点は、前記第１の電子機器からの前記第2の電子機器の取り外し時において、前記グランド接点が離れる前に第１、第２の電子機器側電気接点が先に離れる位置に配備されていることが望ましい。
【００４８】
本発明の電子機器システムによれば、前記のような押圧部を備えたことにより、前記第2の電子機器に前記第1の電子機器が取り外しされる時には、前記第1の電子機器側電気接点と本体側電気接点とが電気的に取り外された後に、前記第1の電子機器の電気的なグランドと前記第2の電子機器の電気的なグランドとが取り外しされるので、前記第1の電子機器の装着時と非装着時とを問わず、静電気の放電による破壊や誤動作を防止することができる。
【００４９】
前記第2の電子機器が、前記第1の電子機器装着時に前記第1の電子機器に押されて前記マウント部の凹部奥に向けて押圧された前記マウントバリア背面に接触して、前記マウントバリアと前記第１の電子機器間の接触抵抗を下げる接点部材を備えていてもよい。
【００５０】
本発明の電子機器システムによれば、前記のような接点部材を備えたことにより、前記第1の電子機器装着時に前記第1の電子機器に押されて前記マウント部の凹部奥に向けて押圧された前記マウントバリア背面に接触して前記マウントバリアと前記第１の電子機器間の接触抵抗が下がり、静電気の放電による破壊や誤動作を防止することができる。
【００５１】
前記押圧部よりも前記グランド接点の耐摩耗性が高いことが望ましい。
【００５２】
本発明の電子機器システムを上記のような構造とすることで、使用により磨耗されるのは主に前記第1の電子機器の押圧部であり、前記第2の電子機器側のグランド接点は傷が付きにくくすることができる。また、第１の電子機器を消耗品として扱うことができる。
【００５３】
前記バヨネット爪はマウントバリアを向く面上において光軸方向と垂直な面内に離散的に４つ備えられ、そのうち対向する２つのバヨネット爪の面のうち、前記第2の電子機器と離した状態で前記マウントバリアと対向する面の裏面に電気接点を設けていてもよい。
【００５４】
本発明の電子機器システムを前記のような構成とした場合には、４つのバヨネット爪のうち２つは電子機器１と電子機器２の電気接点の接続に用いることができ、他の２つは電子機器１と電子機器２の固定の目的等、他の目的に用いることができる。バヨネット爪は４つの場合だけでなく、２つ以上であればよい。例えば５つ備えられ、そのうち３つを固定部とし、残り２つを電気接点、等としてもよい。
【００５５】
前記バヨネット爪に設けられた電気接点はバネ付勢によりカメラボディ側電気接点に向けて突出する構造であり、且つ、前記第1の電子機器と前記第2の電子機器とを装着した際には、前記バヨネット爪において電気接点が配置されている以外の箇所で前記第1の電子機器と前記第2の電子機器間の圧力を受け持つ固定部が設けられていてもよい。
【００５６】
本発明の電子機器システムを前記のような構成とした場合には、バヨネット爪に設けられたバネ付勢された電気接点と前記第2の電子機器側電気接点との接続と、前記第1の電子機器と前記第2の電子機器との接続を、電気接点と固定部を併せ持ったバヨネット爪を介して確実に行うことができる。また、ここではバネ付勢により伸縮される電気接点構造を示したが、伸縮する伝導体であればバネ以外の物を用いてもよい。
【００５７】
前記バヨネット爪に設けられた前記第1の電子機器側電気接点は、人の指が触れない程度の溝幅を持ち、且つ、バヨネット爪の近傍に設けられた凹部内側に設けられていてもよい。
【００５８】
本発明の電子機器システムを前記のような構成とした場合には、人の指が前記第1の電子機器側電気接点に触れることによる感電の防止や電子機器の破壊防止や誤動作を防ぐことができる。
【００５９】
前記第１の電子機器側電気接点と、前記第１の電子機器と前記第2の電子機器を接続する際の電子機器間の圧力を受け持つ固定部とが光軸方向に対し垂直な面内において略同一半径上に設けられていてもよい。
【００６０】
本発明の電子機器システムを前記のような構成とした場合には、前記第１の電子機器側電気接点と、前記第１の電子機器と前記第2の電子機器を接続する際の電子機器間の圧力を受け持つ固定部とが略同一半径上に設けることによりバヨネット爪を小型に製造することができる。
【００６１】
前記第１の電子機器側電気接点と前記第１の電子機器と前記第2の電子機器を接続する際に両電子機器間の圧力を受け持つ固定部とが光軸方向に対し垂直な面内においてそれぞれ半径が異なる位置に設けられていてもよい。
【００６２】
本発明の電子機器システムを前記のような構成とした場合には、前記第1の電子機器側電気接点と圧力を受け持つ部分を異なった半径上に設けることにより、前記第1の電子機器側電気接点と前記第2の電子機器側電気接点との接続と、前記第1の電子機器と前記第2の電子機器の固定をそれぞれ確実に行うことができる。
【００６３】
前記第1の電子機器は撮像光学系を有するレンズユニットであり、前記第2の電子機器は前記レンズユニットと通信を行い前記撮像光学系の制御を行う撮像光学系制御部を備えたカメラ本体であってもよい。
【００６４】
本発明の電子機器システムを前記のような構成とした場合には、レンズユニットの装着時および非装着時における静電気の放電による破壊や誤動作が防止された小型で信頼性の高いカメラシステム、並びに、そのカメラシステムを構成するレンズユニットおよびカメラ本体を実現することができる。
【００６５】
前記第1の電子機器は撮像光学系と撮像素子を有する撮像レンズユニットであり、前記第2の電子機器は前記撮像レンズユニットと通信を行い前記撮像レンズユニットから画像信号を受け取って画像を表示する表示部を備えたカメラ本体であってもよい。
【００６６】
本発明の電子機器システムを前記のような構成とした場合には、撮像レンズユニットの装着時および非装着時における静電気の放電による破壊や誤動作が防止された小型で信頼性の高いカメラシステム、並びに、そのカメラシステムを構成する撮像レンズユニットおよびカメラ本体を実現することができる。また、ここでは第１の電子機器がレンズユニットであり、第２の電子機器がカメラ本体であり、この２つの電子機器から構成されるカメラシステムの例を示したが、この発明はこれ以外に、第１の電子機器がレンズユニットであり、第２の電子機器が、該レンズユニットから画像信号を受け取って信号処理を行う画像処理信号処理部を備えた電子ゲーム機本体であってもよい。また、第1の電子機器は音楽信号機億部を有する音楽信号記憶装置であり、第2の電子機器は前記音楽信号記憶装置と通信を行い、前記音楽記憶装置から音楽信号を受け取って前記音楽信号に基づいて再生を行うこと再生機構を備えた音楽再生プレーヤーであってもよい。また、第1の電子機器は撮像光学系と撮像素子を有する撮像レンズユニットであり、第2の電子機器は前記撮像レンズユニットと通信を行い該撮像レンズユニットから画像信号を受け取って信号処理を行う画像信号処理部を備えた自動車であってもよい。
【００６７】
バヨネット爪と、押圧部と、第1の電子機器側電気接点とを備えた第１の電子機器と結合することで前記第１の電子機器と通信を行う第２の電子機器において、第１の電子機器が着脱自在に装着されるマウント部と、該マウント部に設けられ、前記バヨネット爪と結合させるバヨネット爪系合部と、前記第２の電子機器内部において、前記第1の電子機器と離した状態で前記第1の電子機器と対向する面の裏側に配備され、前記第１の電子機器との間で通信を行うための第２の電子機器側接点と、前記マウント部に備えられている開口を塞ぐとともに、前記第1の電子機器の装着時に該第1の電子機器に押されて前記第２の電子機器内部に後退する、該第2の電子機器の電気的なグランドに接続されたグランド接点を有するマウントバリアとを備え、第1の電子機器側電気接点は、前記バヨネット爪の面のうち、第２の電子機器と離した状態で前記第２の電子機器と対向する面の裏面に配備され、装着時において前記押圧部が前記第２の電子機器内部に向けて押圧を開始した後において第2の電子機器側電気接点に接続され、前記押圧部は、第1の電子機器の電気的なグランドに接続されており、装着時にグランド接点に当接して該第1の電子機器と前記第2の電子機器との間のグランド同士を接続するとともに該マウントバリアを前記第２の電子機器内部に向けて押圧することを特徴とする。
【００６８】
本発明の前記第2の電子機器によれば、前記第2の電子機器に前記第１の電子機器が装着される時には、前記第１の電子機器側電気接点と前記第2の電子機器側電気接点とが電気的に接続される前に、前記第１の電子機器の電気的なグランドと前記第2の電子機器の電気的なグランドとが接続されるので、前記第１の電子機器の装着時と非装着時とを問わず、静電気の放電による破壊や誤動作を防止することができる。
【００６９】
前記グランド接点は、前記マウントバリア表面のほぼ中央部に形成されていてもよい。
【００７０】
本発明の前記第2の電子機器を前記のような構成とした場合は、前記第2の電子機器側の前記マウントバリア表面のほぼ中央部に形成されたグランド接点と、前記第1の電子機器の押圧部との接触抵抗を低下させることが可能となるので、静電気の放電による破壊から前記第2の電子機器を確実に保護することができる。
【００７１】
また、前記グランド接点は、前記マウントバリア表面に環状に形成されていてもよい。
【００７２】
本発明の前記第2の電子機器を前記のような構成とした場合は、この前記第2の電子機器側の環状のグランド接点と、前記第1の電子機器の押圧部との接触抵抗を低下させることが可能となるので、静電気の放電による破壊から前記第2の電子機器を確実に保護することができる。
【００７３】
さらに、前記グランド接点は、前記マウントバリア表面に前記マウントバリアの中央部を取り巻くように複数配置されていてもよい。
【００７４】
本発明の電子機器システムを上記のような構造とした場合は、このマウントバリアの中央部を取り巻くように配置された複数のグランド接点と、前記第1の電子機器の押圧との接触抵抗を低下させることが可能になるので、静電気の放電による破壊から前記第2の電子機器を確実に保護することができる。
【００７５】
前記グランド接点は、前記マウントバリアの中央部を取り巻くように３つ配置されていてもよい。
【００７６】
本発明の電子機器システムを上記のような構造とした場合は、このマウントバリアの中央部を取り巻くように配置された３つのグランド接点と、前記第1の電子機器側の押圧部との接触抵抗を確実に低下させることが可能になるので、静電気の放電による破壊から電子機器システムを確実に保護することができる。
【００７７】
前記グランド接点は、平板であってもよい。
【００７８】
本発明の電子機器システムを前記のような構成とした場合は、この前記マウントバリア表面に形成された平板と前記第1の電子機器の押圧部との接触が確実に行えるので、静電気の放電による破壊から電子機器システムを確実に保護することができる。
【００７９】
前記グランド接点は、突起から構成されてもよい。
【００８０】
本発明の電子機器システムを上記のような構造とした場合には、この突起と前記押圧部との接触抵抗をより確実に低下させることが可能になるので、静電気の放電による破壊から電子機器システムを確実に保護することができる。
【００８１】
また、前記押圧部は、前記第２の電子機器の電気的なグランドに接続され、且つ、前記マウントバリアに向けて伸張する伝導性の付勢物から形成されてもよい。
【００８２】
本発明の前記第1の電子機器を前記のような構成とした場合は、このマウントバリアに向けて伸張する伝導性の付勢物と、前記第2の電子機器のグランド接点との接触抵抗を、マウントバリアに向けて伸張する伝導性の付勢物の接続により低下させることが可能になるので、静電気の放電による破壊から前記第2の電子機器を確実に保護することができる。
【００８３】
また、前記バヨネット爪は光軸方向に対し垂直な面内に離散的に３つ備えられていることが望ましい。
【００８４】
本発明の前記第1の電子機器を前記のような構成とした場合は、バヨネット爪とバヨネット爪係合部の係合が３点で行われるため確実に固定される。
【００８５】
また前記押圧部は前記第1の電子機器側電気接点の近傍にそれぞれ配置されている事が望ましい。
【００８６】
本発明の電子機器システムを前記のような構成とした場合は、前記第1の電子機器側電気接点で発生した静電気が、近傍に配置されている押圧部と前記第2の電子機器のグランド接点との接触により放電されるので、静電気の放電による破壊から前記第2の電子機器を確実に保護することができる。
【００８７】
前記押圧部よりも前記グランド接点の耐摩耗性が高いことを特徴とする請求項２４から請求項３０記載の前記第2の電子機器。
【００８８】
本発明の電子機器システムを上記のような構造とすることで、使用により磨耗されるのは主に前記第1の電子機器の押圧部であり、前記第2のグランド接点は傷が付きにくくすることができる。
【００８９】
前記第1の電子機器は撮像光学系を有するレンズユニットであり、前記第2の電子機器は前記レンズユニットと通信を行い前記撮像光学系の制御を行う撮像光学系制御部を備えたカメラ本体であってもよい。
【００９０】
本発明の電子機器システムを前記のような構成とした場合には、レンズユニットの装着時および非装着時における静電気の放電による破壊や誤動作が防止された小型で信頼性の高いカメラシステム、並びに、そのカメラシステムを構成するレンズユニットおよびカメラ本体を実現することができる。
【００９１】
前記第1の電子機器は撮像光学系と撮像素子を有する撮像レンズユニットであり、前記第2の電子機器は前記撮像レンズユニットと通信を行い前記撮像レンズユニットから画像信号を受け取って画像を表示する表示部を備えたカメラ本体であってもよい。
【００９２】
本発明の電子機器システムを前記のような構成とした場合には、撮像レンズユニットの装着時および非装着時における静電気の放電による破壊や誤動作が防止された小型で信頼性の高いカメラシステム、並びに、そのカメラシステムを構成する撮像レンズユニットおよびカメラ本体を実現することができる。また、ここでは第１の電子機器がレンズユニットであり、第２の電子機器がカメラ本体であり、この２つの電子機器から構成されるカメラシステムの例を示したが、この発明はこれ以外に、第１の電子機器がレンズユニットであり、第２の電子機器が、該レンズユニットから画像信号を受け取って信号処理を行う画像処理信号処理部を備えた電子ゲーム機本体であってもよい。また、第1の電子機器は音楽信号機億部を有する音楽信号記憶装置であり、第2の電子機器は前記音楽信号記憶装置と通信を行い、前記音楽記憶装置から音楽信号を受け取って前記音楽信号に基づいて再生を行う再生機構を備えた音楽再生プレーヤーであってもよい。また、第1の電子機器は撮像光学系と撮像素子を有する撮像レンズユニットであり、第2の電子機器は前記撮像レンズユニットと通信を行い該撮像レンズユニットから画像信号を受け取って信号処理を行う画像信号処理部を備えた自動車であってもよい。
【００９３】
第２の電子機器内部に配備され、第1の電子機器の装着時に該第1の電子機器との間で通信を行うための第２の電子機器側接点と、前記第1の電子機器が着脱自在に装着されるマウント部と、該マウント部に設けられたバヨネット爪係合部と、前記マウント部に備えられている開口を塞ぐとともに、前記第1の電子機器の装着時に該第1の電子機器に押されて前記第２の電子機器内部に後退する、該第2の電子機器の電気的なグランドに接続されたグランド接点を有するマウントバリアとを備えた第２の電子機器が着脱自在に装着される第１の電子機器において、前記バヨネット爪係合部と係合するバヨネット爪と、該第1の電子機器の電気的なグランドに接続され、装着時に前記グランド接点に当接して該第1の電子機器と前記第2の電子機器との間のグランド同士を接続するとともに該マウントバリアを前記第２の電子機器内部に向けて押圧する押圧部と、前記バヨネット爪の面のうち、前記第2の電子機器と離した状態で前記マウントバリアと対向する面の裏面に配備され、装着時において該押圧部が該マウントバリアを前記第２の電子機器内部に向けて押圧を開始した後において前記第2の電子機器側電気接点に接続される第1の電子機器側電気接点とを備えたことを特徴とする。
【００９４】
本発明の前記第1の電子機器によれば、前記のような押圧部を備えたことにより、前記第2の電子機器に前記第1の電子機器が装着される時には、前記第1の電子機器側電気接点と本体側電気接点とが電気的に接続される前に、前記第1の電子機器の電気的なグランドと前記第2の電子機器の電気的なグランドとが接続されるので、前記第1の電子機器の装着時と非装着時とを問わず、静電気の放電による破壊や誤動作を防止することができる。
【００９５】
また、前記押圧部は前記第1の電子機器側電気接点の近傍にそれぞれ配置されている事が望ましい。
【００９６】
本発明の電子機器システムを前記のような構成とした場合は、前記第1の電子機器側電気接点で発生した静電気が、近傍に配置されている押圧部と前記第2の電子機器のグランド接点との接触により放電されるので、静電気の放電による破壊から前記第1の電子機器を確実に保護することができる。
【００９７】
前記押圧部よりも前記グランド接点の耐摩耗性が高いことが望ましい。
【００９８】
本発明の電子機器システムを上記のような構造とすることで、使用により磨耗されるのは主に前記第1の電子機器の押圧部であり、前記第2の電子機器のグランド接点は傷が付きにくくすることができる。また、第１の電子機器を消耗品として扱うことができる。
【００９９】
また、前記押圧部は、装着時に前記マウントバリア側を向く面の中央に形成されていてもよい。
【０１００】
本発明の前記第1の電子機器を前記のような構成とした場合は、面の中央部に設置された押圧部と、前記第2の電子機器のグランド接点との接触が容易になり接触抵抗をより確実に低下させることが可能になるので、静電気の放電による破壊から前記第1の電子機器を確実に保護することができる。
【０１０１】
また、前記押圧部は、装着時に前記マウントバリア側を向く面に、前記面の中央部を取り巻くように形成されていてもよい。
【０１０２】
本発明の前記第1の電子機器を前記のような構成とした場合は、この中央部を取り巻くように形成された押圧部と、前記第2の電子機器のグランド接点との確実な接触により接触抵抗を低下させることが可能になるので、静電気の放電による破壊から前記第1の電子機器を確実に保護することができる。
【０１０３】
また、前記押圧部は、装着時に前記マウントバリア側を向く面に、前記面の環状に形成されていてもよい。
【０１０４】
本発明の前記第1の電子機器を前記のような構成とした場合は、この環状に形成された押圧部と、前記第2の電子機器のグランド接点との確実な接触により接触抵抗を低下させることが可能になるので、静電気の放電による破壊から前記第1の電子機器を確実に保護することができる。
【０１０５】
また、前記押圧部は３つから構成されていることが望ましい。
【０１０６】
本発明の前記第1の電子機器を前記のような構成とした場合は、前記３つの押圧部と前記第2の電子機器のグランド接点との確実な接触により接触抵抗を低下させることが可能になるので、静電気の放電による破壊から前記第1の電子機器を確実に保護することができる。
【０１０７】
また、前記押圧部は突起から構成されていてもよい。
【０１０８】
本発明の前記第1の電子機器を前記のような構成とした場合は、この突起と、前記第2の電子機器のグランド接点との確実な接触により接触抵抗を低下させることが可能になるので、静電気の放電による破壊から前記第1の電子機器を確実に保護することができる。
【０１０９】
また、前記押圧部は、前記第２の電子機器の電気的なグランドに接続され、且つ、前記マウントバリアに向けて伸張する伝導性の付勢物から構成されていてもよい。
【０１１０】
本発明の前記第1の電子機器を前記のような構成とした場合は、この付勢物と、前記第2の電子機器のグランド接点との確実な接触により接触抵抗を低下させることが可能になるので、静電気の放電による破壊から前記第1の電子機器を確実に保護することができる。
【０１１１】
また、前記押圧部は平板から構成されていてもよい。
【０１１２】
本発明の前記第1の電子機器を前記のような構成とした場合は、この平板と、前記第2の電子機器のグランド接点との確実な接触により接触抵抗を低下させることが可能になるので、静電気の放電による破壊から前記第1の電子機器を確実に保護することができる
【０１１３】
また、前記バヨネット爪は光軸周りに離散的に３つ備えられていることが望ましい。
【０１１４】
本発明の電子機器システムを前記のような構成とした場合は、バヨネット爪とバヨネット爪係合部の結合が３点で行われるため確実に固定される。
【０１１５】
前記バヨネット爪はマウントバリアを向く面上において光軸方向と垂直な面内に離散的に４つ備えられ、そのうち対向する２つのバヨネット爪の面のうち、前記第2の電子機器と離した状態で前記マウントバリアと対向する面の裏面に電気接点を設けていてもよい。
【０１１６】
本発明の電子機器システムを前記のような構成とした場合には、４つのバヨネット爪のうち２つは電子機器２の電気接点と接続するための電気接点を設けることができ、他の２つは電子機器１と電子機器２の固定する固定部等他の用途に用いることができる。また、バヨネット爪は４つの場合だけでなく、２つ以上であればよい。例えば５つ備えられ、そのうち３つを固定部とし、残り２つを電気接点、等としてもよい。
【０１１７】
前記第２の電子機器に装着された際に、前記接点または前記第２の電子機器側接点のいずれか一方が、付勢部材によって他方に向けて突出する構造であり、且つ、前記第1の電子機器と前記第2の電子機器とを装着した際には、前記バヨネット爪において電気接点が配置されている以外の領域で前記第1の電子機器と前記第2の電子機器間の圧力を受け持つ固定部を設けてもよい。
【０１１８】
本発明の電子機器システムを前記のような構成とした場合には、バヨネット爪に設けられたバネ付勢された電気接点と前記第2の電子機器側電気接点との接続と、前記第1の電子機器と前記第2の電子機器との接続を、電気接点と固定部を併せ持ったバヨネット爪を介して確実に行うことができる。また、ここではバネ付勢により伸縮される電気接点構造を示したが、伸縮する伝導体であればバネ以外の物を用いてもよい。
【０１１９】
前記バヨネット爪に設けられた前記第1の電子機器側電気接点は、人の指が触れない程度の幅を持ち、且つ、前記第1の電子機器のバヨネット爪近傍に設けられた凹部に設けられていてもよい。
【０１２０】
本発明の電子機器システムを前記のような構成とした場合には、人の指が静電気を帯びた前記第1の電子機器側電気接点に触れることによる感電の防止や電子機器の破壊防止や誤動作を防ぐことができる。
【０１２１】
前記第1の電子機器側電気接点と、前記第1の電子機器と前記第2の電子機器を接続する際に両電子機器間の圧力を受け持つ固定部とが光軸方向に対し垂直な面内において略同一半径上に設けられていてもよい。
【０１２２】
本発明の電子機器システムを前記のような構成とした場合には、前記第1の電子機器側電気接点と、前記第1の電子機器と前記第2の電子機器を接続する際の電子機器間の圧力を受け持つ固定部とが略同一半径上に設けることによりバヨネット爪を小型に製造することができる。
【０１２３】
前記第1の電子機器側電気接点と前記第１の電子機器と前記第2の電子機器を接続する際の電子機器間の圧力を受け持つ固定部とが光軸方向に対し垂直な面内においてそれぞれ異なった半径上に設けられていてもよい。
【０１２４】
本発明の電子機器システムを前記のような構成とした場合には、前記第1の電子機器側電気接点と圧力を受け持つ部分を光軸方向に対し垂直な面内において異なった半径上に設けることにより、前記第１の電子機器側電気接点と前記第2の電子機器側電気接点との接続と、前記第１の電子機器と前記第2の電子機器の固定をそれぞれ確実に行うことができる。
【０１２５】
前記第1の電子機器は撮像光学系を有するレンズユニットであり、前記第2の電子機器は前記レンズユニットと通信を行い前記撮像光学系の制御を行う撮像光学系制御部を備えたカメラ本体であってもよい。
【０１２６】
本発明の電子機器システムを前記のような構成とした場合には、前記レンズユニットの装着時および非装着時における静電気の放電による破壊や誤動作が防止された小型で信頼性の高いカメラシステム、並びに、そのカメラシステムを構成するレンズユニットおよびカメラ本体を実現することができる。
【０１２７】
前記第1の電子機器は撮像光学系と撮像素子を有する撮像レンズユニットであり、前記第2の電子機器は前記撮像レンズユニットと通信を行い前記撮像レンズユニットから画像信号を受け取って画像を表示する表示部を備えたカメラ本体であってもよい。
【０１２８】
本発明の電子機器システムを前記のような構成とした場合には、撮像レンズユニットの装着時および非装着時における静電気の放電による破壊や誤動作が防止された小型で信頼性の高いカメラシステム、並びに、そのカメラシステムを構成する撮像レンズユニットおよびカメラ本体を実現することができる。また、ここでは第１の電子機器がレンズユニットであり、第２の電子機器がカメラ本体であり、この２つの電子機器から構成されるカメラシステムの例を示したが、この発明はこれ以外に、第１の電子機器がレンズユニットであり、第２の電子機器が、該レンズユニットから画像信号を受け取って信号処理を行う画像処理信号処理部を備えた電子ゲーム機本体であってもよい。また、第1の電子機器は音楽信号機億部を有する音楽信号記憶装置であり、第2の電子機器は前記音楽信号記憶装置と通信を行い、前記音楽記憶装置から音楽信号を受け取って前記音楽信号に基づいて再生を行う再生機構を備えた音楽再生プレーヤーであってもよい。また、第1の電子機器は撮像光学系と撮像素子を有する撮像レンズユニットであり、第2の電子機器は前記撮像レンズユニットと通信を行い該撮像レンズユニットから画像信号を受け取って信号処理を行う画像信号処理部を備えた自動車であってもよい。
【発明の効果】
【０１２９】
以上説明したように、本発明によれば、前記のように構成したことにより、第1の電子機器の装着時および非装着時における静電気の放電による破壊や誤動作が防止された小型で信頼性の高い電子機器システム、並びに、その電子機器システムを構成する前記第2の電子機器および前記第1の電子機器を実現することができる。
【発明を実施するための最良の形態】
【０１３０】
以下図面を参照して本発明の電子機器システムをカメラシステムに適用した場合を例に実施の形態を説明する。
【０１３１】
図１は、本発明のカメラシステムの各実施形態に共通の外観図である。
【０１３２】
図１に示すように、このカメラシステム１００は、撮像レンズユニット１１０とカメラ本体１５０とを有する撮像レンズユニット着脱式のカメラシステムであり、撮像レンズユニット１１０の基部においてカメラ本体１５０と離した状態で前記マウントバリアと対向する面の裏面に配備された３つのバヨネット爪１０１を、カメラ本体１５０側の、撮像レンズユニット１１０が着脱自在に装着される凹形状のマウント部１５１の内側に設けられた、前記バヨネット爪１０１と係合するバヨネット爪係合部１０２に係合させて撮像レンズユニット１１０をカメラ本体１５０に装着するようになっている。
【０１３３】
撮像レンズユニット１１０は、前記バヨネット爪の面のうち、カメラ本体１５０と離した状態でマウントバリア１５２と対抗する面の裏側に配置された撮像レンズ側電気接点１２１と撮影光学系１１１および撮像素子１１２（図３参照）を備えている。カメラ本体１５０は、マウント部１５１と、カメラ本体１５０内部において、撮像レンズユニット１１０と離した状態で撮像レンズユニット１１０と対抗する面の裏側に配設され、撮像レンズユニット１１０との間で通信を行うための本体側電気接点１７０と、マウント部１５１の開口を塞ぐとともに、撮像レンズユニット１１０の装着時に撮像レンズユニット１１０に押されてカメラ本体１５０の内部に後退する、カメラ本体１５０の電気的なグランドに接続された板状のグランド接点１３０をほぼ中央部に有するマウントバリア１５２とを備え、マウント部１５１に装着される撮像レンズユニット１１０と通信を行い、撮像レンズユニット１１０から画像信号を受け取って信号処理を行うようになっている。
【０１３４】
図２は、図１に示すカメラシステムの撮像レンズユニット装着時のカメラ本体１５０を示す図である。
【０１３５】
このカメラ本体１５０は、撮像レンズユニット１１０が装着された後には、図２に示すように、マウントバリア１５２は撮像レンズユニットに備えられた押圧部（図６参照）に押されてカメラ本体内部に後退する。
【０１３６】
この時、グランド接点１３０と前記押圧部との接触により後述するように撮像レンズユニット１１０およびカメラ本体双方のグランドどうしが電気的に接続されて同電位となる。この状態で撮像レンズユニット１１０を所定の方向に回転することにより、撮像レンズユニット１１０側のバヨネット爪１０１（図１参照）とマウント部１５１の内側に設けられたバヨネット爪係合部１０２とが係合し、それとともに撮像レンズユニット側電気接点１２１と本体側電気接点１７０とが電気的に接続されて撮像レンズユニット１１０のカメラ本体１５０への装着が完了する。
【０１３７】
前記押圧部およびグランド接点の種々の態様については、図６〜図１０を参照して後述する。
【０１３８】
なお、前記の説明では、図１および図２に示したようなバヨネット爪１０１およびバヨネット爪係合部１０２による回転式の係合方式のカメラシステムについて説明したが、本発明のカメラシステムは前記の係合方式のみに限られるものではなく、例えば、撮像レンズユニットをカメラ本体１５０のマウント部に押し当てるだけで係合が行われる係合方式や押し込むことで係合が行われる係合方式を採用したものであってもよい。
【０１３９】
図３は、本発明のカメラシステムの各実施形態に共通のブロック図である。
【０１４０】
図３に示すように、このカメラシステム１００は、撮影光学系１１１と撮像素子１１２と備えた撮像レンズユニット１１０と、その撮像レンズユニット１１０が着脱自在に装着される凹形状のマウント部１５１を備え、マウント部１５１に装着された撮像レンズユニット１１０と通信を行い撮像レンズユニット１１０から画像信号を受け取って信号処理を行うカメラ本体１５０とを有するカメラシステムである。
【０１４１】
撮像レンズユニット１１０には、上述の押圧部１２０、および撮像レンズユニット側電気接点１２１のほかに、カメラ操作者からの操作指示を受ける撮像レンズユニット操作部１１８、自動露出制御／自動焦点制御などを行うＡＥ／ＡＦ制御部１１６、撮像レンズユニット１１０内の各部の動作を制御するサブＣＰＵ（Ｃｅｎｔｒａｌ  Ｐｒｏｃｅｓｓｉｎｇ  Ｕｎｉｔ）１１７、撮像レンズユニット側電気接点１２１を介してカメラ本体１５０から受け取ったＤＣ電圧を、撮像レンズユニット１１０内の各部が必要とするＤＣ電圧に変換して供給するＤＣ／ＤＣコンバータ１１９などが備えられている。
【０１４２】
撮影光学系１１１で撮影され、撮像素子１１２から出力された画像信号（ＣＣＤ＿ＲＡＷ）はアナログ信号処理ブロック１１３でゲイン調整、ノイズ低減などの処理が行われた後、Ａ／Ｄ（Ｄｉｇｉｔａｌ／Ａｎａｌｏｇ）変換器１１４でデジタル信号に変換され、パラレル／シリアル変換伝送インターフェース１１５によりシリアル信号に変換された後、撮像レンズユニット側電気接点１２１および本体側電気接点１７０を介してカメラ本体１５０に送信される。なお、撮像素子１１２としては、ＣＣＤ（Ｃｈａｒｇｅ  Ｃｏｕｐｌｅｄ  Ｄｅｖｉｃｅｓ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などを用いることができる。
【０１４３】
なお、押圧部１２０、撮像レンズユニット側電気接点１２１、マウント部１５１、マウントバリア１５２、および本体側電気接点１７０の構造については、図４、図５を参照して詳細に説明する。
【０１４４】
カメラ本体１５０は、上述の本体側電気接点１７０、マウント部１５１、およびマウントバリア１５２のほかに、カメラ操作者からの操作指示を受けるカメラ本体操作部１５３、カメラ本体１５０全体の制御を司るＣＰＵ１５４、撮像レンズユニット１１０から受け取ったＣＣＤ＿ＲＡＷ信号のホワイトバランス補正やγ補正を行ったりＹＣｂＣｒ信号（輝度／色相差信号）に変換したりする信号処理ブロック１６２、ＣＣＤ＿ＲＡＷ信号、ＹＣｂＣｒ信号、圧縮後のデータなどを一時保存するメモリバッファ１６１、メモリバッファ１６１を制御するメモリコントローラ１５６、撮像レンズユニット１１０との間の送受信信号のパラレル／シリアル変換処理を行うパラレル／シリアル変換伝送インターフェース１５５、ＹＣｂＣｒ信号を圧縮／伸長する圧縮伸長ブロック１６３、メモリバッファ１６１に保存されたデジタル信号をアナログ信号に変換するＤ／Ａ変換器１５７、Ｄ／Ａ変換器１５７でアナログ信号に変換された画像情報を表示する、例えばＬＣＤ（Ｌｉｑｕｉｄ  Ｃｒｙｓｔａｌ  Ｄｉｓｐｌａｙ ）などからなる表示部１５８、圧縮された画像情報を外部の、例えば、メモリカードなどの記憶媒体１８０に記録するためのメディアインターフェース１５９およびコネクタ１６０、カメラ本体１５０の各部に必要な電源を供給するとともに本体側電気接点１７０を介して撮像レンズユニット１１０側に必要な電源を供給する電源部１６４などを備えている。
【０１４５】
なお、図３は、本発明のカメラシステムの一実施形態を示したものであり、本発明のカメラシステムは、前記実施形態のみに限定されるものではなく、例えば、撮像レンズのバリエーション、ＣＣＤの画素数、動画撮影用／静止画撮影用、手振れ補正などの撮影補助機構の有無、立体映像撮影用の複数のＣＣＤおよびレンズを備えたカメラシステムなど、用途に応じて種々の形態のカメラシステムとして構成することができる。
【０１４６】
次に、第１の実施形態のカメラシステムにおける撮像レンズユニットをカメラ本体に装着する前および装着した後の詳細構造について説明する。
【０１４７】
図４は、第１の実施形態のカメラシステムの撮像レンズユニット装着前の断面図である。
【０１４８】
図４には、カメラ本体１５０の上に、装着前の撮像レンズユニット１１０が設置され、撮像レンズユニット１１０の押圧部１２０が、カメラ本体１５０側のマウントバリア１５２に形成されたグランド接点１３０に接触している状態が示されている。この段階では、撮像レンズユニット側のバヨネット爪１０１（図１参照）およびそのバヨネット爪１０１と係合するバヨネット爪係合部１０２（図１参照）は、まだ互いに係合されてはおらず、撮像レンズユニット側電気接点１２１と本体側電気接点１７０とは互いに離れた位置にある。
【０１４９】
カメラ本体１５０には、撮像レンズユニット１１０が着脱自在に装着される凹形状のマウント部１５１が備えられており、マウント部１５１内部には、本体側電気接点１７０と、マウントバリア１５２とが備えられている。本体側電気接点１７０は、カメラ本体１５０内に設けられた、ＣＰＵ１５４（図３参照）などの各素子が実装された回路基板１７３に接続されており、撮像レンズユニット側電気接点１２１と接続されることにより、カメラ本体１５０と撮像レンズユニット１１０との間の送受信が可能となる。
【０１５０】
マウントバリア１５２は、マウント部１５１の開口を塞ぐとともに、撮像レンズユニット１１０の装着時に撮像レンズユニット１１０に押されてカメラ本体１５０内部に後退するものであり、このマウントバリア１５２に形成されているグランド接点１３０はバネ１７１を介して、カメラ本体１５０内の回路基板１７３の電気的なグランドである導体１７４と接続されている。このマウントバリア１５２は、本体側電気接点１７０を静電気から保護するとともに、カメラ本体１５０内部へのゴミの進入を防ぐためのものである。
【０１５１】
撮像レンズユニット１１０には、撮像光学系１１１（図１参照）などのほかに、図４に示すように、撮像レンズユニット側電気接点１２１および押圧部１２０が備えられている。
【０１５２】
撮像レンズユニット側電気接点１２１は、撮像レンズユニット１１０内に設けられた、サブＣＰＵ１１７（図３参照）などの各素子が実装された回路基板１２３に接続されている。この撮像レンズユニット側電気接点１２１は、前記バヨネット爪１２１の面のうち、カメラ本体１５０と離した状態でマウントバリア１５２と対向する面の裏側に配置されており撮像レンズユニット１１０装着時における、カメラ本体１５０から見て押圧部１２０よりもカメラ本体１５０から離れた位置に備えられており、装着時において押圧部１２０がマウントバリア１５２をカメラ本体１５０内部に向けて押圧を開始し撮像レンズユニット１１０をカメラ本体１５０に対して回転動作させた後に本体側電気接点１７０と電気的に接続される。
【０１５３】
押圧部１２０は、撮像レンズユニット１１０内の回路基板１２３の電気的なグランドである導体１２４に接続され、装着時にカメラ本体１５０のマウントバリア１５２に形成されたグランド接点１３０に当接して撮像レンズユニット１１０とカメラ本体１５０との間のグランドどうしを接続する。
【０１５４】
なお、前記マウントバリア１５２は、バネ１７１による付勢を受けてマウント部１５１の開口を塞ぐようになっており、撮像レンズユニット１１０がカメラ本体１５０に装着される時には押圧部１２０に押されてカメラ本体１５０内部に後退するとともに撮像レンズユニット１１０がカメラ本体１５０から取り外された時にはバネ１７１の付勢によりマウント部１５１の開口を塞ぐ位置に戻るようになっている。バネ１７１の一端はマウントバリア１５２に取り付けられており、他端はカメラ本体１５０に内蔵されている各種の素子が組み込まれた回路基板１７３のグランドである導体１７４に取り付けられている。このように、マウントバリアにバネを取り付けただけの簡単な構成によって、撮像レンズユニット取り外し後のカメラ本体を、静電気の放電による破壊や誤動作やゴミの進入などから保護することができる。
【０１５５】
図５は、第１の実施形態のカメラシステムの撮像レンズユニット装着後の断面図である。
【０１５６】
図４に示した状態から、撮像レンズユニット１１０をカメラ本体１５０に装着するには、撮像レンズユニット１１０に備えられた押圧部１２０により、カメラ本体１５０側のマウントバリア１５２をカメラ本体内部に押圧し、その後撮像レンズユニットを所定の方向に回転させて、撮像レンズユニット１１０側のバヨネット爪部１０１（図１参照）とカメラ本体１５０側のバヨネット爪係合部１０２（図１参照）とを互いに係合させることにより、図５に示した装着状態とすることができる。
【０１５７】
本実施形態では、マウント部１５１の開口は、撮像レンズユニット１１０が装着されていない時にはマウントバリア１５２により塞がれているが、撮像レンズユニット１１０が装着される時にはマウントバリア１５２は撮像レンズユニット１１０の押圧部１２０に押されてカメラ本体１５０内部に後退する。
【０１５８】
この時に、押圧部１２０に接続されている撮像レンズユニット１１０側のグランドである導体１２４と、マウントバリア１５２のグランド接点１３０に接続されているカメラ本体１５０側のグランドである導体１７４とがバネ１７１を介して互いに接続され、撮像レンズユニット１１０のグランドとカメラ本体１５０側のグランドとが同電位となる。
【０１５９】
このように、撮像レンズユニット１１０のグランドとカメラ本体１５０側のグランドとは同電位となっているので、もし、静電気に帯電した方の手で撮像レンズユニット１１０を持ち、もう一方の手でカメラ本体１５０の不導体部分を支持していたとしても、撮像レンズユニット１１０とカメラ本体１５０との間に発生する数キロボルトの電位差を持つ電荷は、本体側電気接点１７０と撮像レンズユニット側電気接点１２１とが接近する以前に、押圧部１２０を介してカメラ本体１５０側に放電され、双方の電気接点間に高電圧が印加されることが防止される。
【０１６０】
こうして、撮像レンズユニット１１０のグランドとカメラ本体１５０のグランドとが同電位となった状態で、撮像レンズユニット１１０がカメラ本体１５０内部まで挿入され、撮像レンズユニット１１０がレンズ光軸を中心に所定の方向に回転されることにより前述のバヨネット爪１０１（図１参照）とバヨネット爪係合部１０２とが係合され、それとともに、本体側電気接点１７０と撮像レンズユニット側電気接点１２１とが接続される。撮像レンズユニット側電気接点１２１および本体側電気接点１７０は、それぞれ、電源、グランド、ＣＣＤ＿ＲＡＷ信号、ＡＥ／ＡＦ用制御信号、撮像レンズユニット制御信号などの複数の電気接点から構成されており、前記のように、撮像レンズユニット側電気接点１２１と本体側電気接点１７０とが接続されることによって撮像レンズユニット１１０とカメラ本体１５０との間の電源の授受および各種信号の送受信が可能となる。
【０１６１】
また、本実施形態では、カメラ本体１５０から撮像レンズユニット１１０を取り外す時において、押圧部１２０とマウントバリア１５２との接触が継続されている段階で電気的に相互に離れる位置に配備されている。
【０１６２】
そのため、カメラ本体１５０から撮像レンズユニット１１０を取り外す時には、撮像レンズユニット１１０をレンズ光軸を中心に装着時とは逆の方向に回転することにより、前述のバヨネット爪１０１（図１参照）とバヨネット爪係合部１０２との係合が解除されるとともに本体側電気接点１７０と撮像レンズユニット側電気接点１２１との接続が解除されるが、この双方の電気接点の接続の解除が完了した時点においても、押圧部１２０とマウントバリア１５２との接触が継続されており、双方の電気接点の接続の解除が完了した後に撮像レンズユニット１１０のグランドとカメラ本体１５０のグランドとの接続が解除される。従って、静電気に帯電した手で撮像レンズユニット１１０を掴んだ場合であっても、撮像レンズユニット側電気接点１２１、あるいは本体側電気接点１７０への静電気の放電は回避され、撮像レンズユニット１１０内の素子が破壊したり誤動作したりすることが防止される。
【０１６３】
ここで、撮像レンズユニット１１０の外装１２２を金属製の外装とした場合には、外装１２２も双方のグランドと同電位になるので、撮像レンズユニット１１０全体の静電気による破壊や誤動作の発生を防止することができる。
【０１６４】
また、カメラ本体１５０の外装１７５を金属製の外装とした場合には、カメラ本体１５０のグランドは外装１７５に接続されているので、マウントバリア１５２がいかなる状態であってもカメラ本体１５０のグランドと同電位となり、カメラ本体１５０全体の静電気による破壊や誤動作の発生を防止することができる。
【０１６５】
なお、本実施形態では、撮像レンズユニット１１０の底面に、カメラ本体１５０に向かって突出した押圧部１２０を設けた例を示したが、撮像レンズユニット１１０の押圧部、すなわちマウントバリアを押圧する部分は平坦な部材で構成し、マウントバリア１５２側に撮像レンズユニット１１０に向かって突出して、撮像レンズユニット１１０の平坦な押圧部１２０に当接する部分を設けてもよく、また、撮像レンズユニットに突出した押圧部を設けるとともにマウントバリアにも、その押圧部に当接する突出した部分を設けてもよい。
【０１６６】
また、撮像レンズユニット１１０とマウントバリア１５２とが接触する状態で双方の電気接点間に十分な距離を確保することができる場合は、押圧部１２０を突出させずに、平坦な形状の部材で押圧部１２０を形成しその押圧部１２０と当接するマウントバリア１５２も平坦な形状としてもよい。
【０１６７】
また、以下に説明するように、押圧部１２０を、前記押圧部１２０のマウントバリア１５２側を向く面に、一つ又は複数の突起を形成した構成としてもよい。
【０１６８】
次に、撮像レンズユニットに形成される押圧部の種々の態様について説明する。
【０１６９】
図６は、撮像レンズユニットに形成された押圧部の一態様を示す図である。
【０１７０】
図６に示すように、この撮像レンズユニット１１０には、装着時にマウントバリア側を向く面の中央にマウントバリアに向いて突出した突起１４１を有する押圧部１２０が形成されている。
【０１７１】
この突起１４１は、例えば図２に示したカメラ本体１５０のマウントバリア１５２表面のほぼ中央部に形成された板状のグランド接点１３０と接触する。これにより、板状のグランド接点１３０と、撮像レンズユニットの押圧部１２０との接触が容易となるので、静電気の放電による破壊からカメラシステムを確実に保護することができる。
【０１７２】
図７は、撮像レンズユニットに形成された押圧部の他の態様を示す図である。
【０１７３】
図７に示すように、この撮像レンズユニット１１０には、装着時にマウントバリア側を向く面に、前記面の中央部を取り巻くように形成された、マウントバリアに向けて突出した３つの突起１４２を有する押圧部１２０が形成されている。
【０１７４】
これらの突起１４２は、例えば後述するマウントバリア側のグランド接点１３１（図８参照）、又はグランド接点１３２（図９参照）と接触することにより、カメラ本体側のグランド接点と、撮像レンズユニット１１０の押圧部１２０との接触抵抗を低下させることが可能となるので、静電気の放電による破壊からカメラシステムを確実に保護することができる。
【０１７５】
次に、前記押圧部１２０と接触するグランド接点の種々の態様について説明する。
【０１７６】
図８は、マウントバリア１５２に形成されたグランド接点の一態様を示す図である。
【０１７７】
前述のように、カメラ本体１５０のマウントバリア１５２表面のほぼ中央部に形成された板状のグランド接点１３０（図２参照）について説明したが、図８には、カメラ本体１５０の電気的なグランドに接続された、マウントバリア１５２表面に形成された環状のグランド接点１３１が示されている。
【０１７８】
このグランド接点１３１は、前述の、装着時にマウントバリア１５２側を向く面に、前記面の中央部を取り巻くように形成された、マウントバリア１５２に向けて突出した複数の突起１４２を有する押圧部１２０（図７参照）と接触してカメラ本体１５０と撮像レンズユニット１１０とを同電位とする。
【０１７９】
このようにグランド接点１３１を環状に形成することにより、前記複数の突起との接触抵抗を低下させることが可能となるので、静電気の放電による破壊からカメラシステムを確実に保護することができ、また、マウントバリア１５２の中央部に形成された空所を他の目的に利用することができる。
【０１８０】
図９は、マウントバリア１５２に形成されたグランド接点の他の態様を示す図である。
【０１８１】
図９には、カメラ本体１５０の電気的なグランドに接続された、マウントバリア１５２表面に、マウントバリア１５２の中央部を取り巻くように配置された３つの平板１３３からなるグランド接点１３２が示されている。
【０１８２】
このグランド接点１３２の３つの平板１３３は、前述の、装着時にマウントバリア側を向く面に、前記面の中央部を取り巻くように形成された、マウントバリアに向けて突出した３つの突起１４２を有する押圧部１２０（図７参照）と接触してカメラ本体と撮像レンズユニットとを同電位とする。
【０１８３】
このように複数の平板１３３からなるグランド接点１３２を形成することにより、図８におけるグランド接点１３１と同様に、突起との接触抵抗を低下させることが可能となるので、静電気の放電による破壊からカメラシステムを確実に保護することができ、また、マウントバリア１５２に形成された空所を他の目的に利用することができる。
【０１８４】
図１０は、各種態様のカメラ本体および撮像レンズユニットの組み合わせの成否を示す図である。
【０１８５】
図１０に示すように、図２に示したグランド接点を有するカメラ本体と図６、図７に示したグランド接点を有する撮像レンズユニットとの組み合わせは成立することが示されている。また、図８に示したグランド接点を有するカメラ本体と、図７に示したグランド接点を有する撮像レンズユニットとの組み合わせは成立するが、図６に示したグランド接点を有する撮像レンズユニットとの組み合わせは成立しないことが示されている。また、図９に示したグランド接点を有するカメラ本体と、図７に示したグランド接点を有する撮像レンズユニットとの組み合わせは成立するが、図６に示したグランド接点を有する撮像レンズユニットとの組み合わせは成立しないことが示されている。
【０１８６】
次に、前記バヨネット爪部の種々の態様について説明する。
【０１８７】
図１１はバヨネット爪部の一態様を示す図である。
【０１８８】
図１１に示すように、バヨネット爪１０３はマウントバリアを向く面上において光軸方向と垂直な面内に離散的に４つ備えられ、そのうち対向する２つのバヨネット爪の面のうち、前記第2の電子機器と離した状態で前記マウントバリアと対向する面の裏面に電気接点を設けられている。
【０１８９】
本発明のカメラシステムを図に示す構成とした場合、カメラ本体１５０側には前記バヨネット爪１０３がそれぞれ係合する４つのバヨネット爪係合部が備えられる。これらの４つのバヨネット爪１０３は、カメラ本体１５０と撮像レンズユニット１１０の固定を行う固定部として機能し、これらのうちの２つに撮像レンズユニット側電気接点１２１を設けることにより、カメラ本体１５０と撮像レンズユニット１１０の確実な固定と、カメラ本体１５０と撮像レンズユニット１１０の確実な接続を行うことができる。
【０１９０】
図１２、図１３は、バヨネット爪部の他の態様を表す図である。
【０１９１】
図１２、図１３に示すように、本体側接点１７０は、バネ１２７の付勢力により、撮像レンズユニット側電気接点１２１に向けて突出する構造であり、且つ、前記カメラ本体と撮像レンズユニット１１０とを装着した際には、前記バヨネット爪１０１において本体側電気接点１７０が配置されている以外の箇所で前記カメラ本体と撮像レンズユニット１１０間の固定を行う固定部１２５を設けられている。
【０１９２】
本発明の電子機器システムを図１２、図１３に示す構成とした場合には、本体側接点１７０は、バネ１２７の付勢力により、撮像レンズユニット側電気接点１２１に向けて伸長して接するため、前記レンズユニット側電気接点１２１と前記本体側電気接点１７０との接続を確実に行うことができる。
【０１９３】
なお、バネの付勢力によって本体側接点１７０を撮像レンズユニット側電気接点１２１に向けて突出させる場合を例に説明したが、これに限るものではなく、バネの付勢力によって、撮像レンズユニット側電気接点１２１を本体側接点１７０に向けて突出させる構造でも良い。
【０１９４】
次に、本発明のカメラシステムの第２の実施形態について説明する。
【０１９５】
図１４は、第２の実施形態のカメラシステムの撮像レンズユニット装着前の断面図である。
【０１９６】
図１４に示すように、この第２の実施形態のカメラシステムは、カメラ本体１５０が、前記カメラ本体１５０のグランドに接続されるとともに、撮像レンズユニット１１０装着時に前記撮像レンズユニット１１０に押されてカメラ本体内部に向けて押圧されてきたマウントバリア１５２背面に接触して、マウントバリア１５２と押圧部間の接触抵抗を下げる部材を備えている。
【０１９７】
この第２の実施形態のカメラシステムは、カメラ本体１５０が前記接点部材１９０を備えていること以外は、図４に示した第１の実施形態のカメラシステムと同様の構成となっている。
【０１９８】
図１５は、第２の実施形態のカメラシステムの撮像レンズユニット装着後の断面図である。
【０１９９】
図１４に示した状態から、撮像レンズユニット１１０をカメラ本体１５０に装着するには、第１の実施形態におけると同様、撮像レンズユニット１１０に備えられた押圧部１２０により、カメラ本体１５０側のマウントバリア１５２をカメラ本体内部に押圧し、その後撮像レンズユニットを所定の方向に回転させて、撮像レンズユニット１１０側のバヨネット爪１０１（図１参照）とカメラ本体１５０側のバヨネット爪係合部１０２（図１参照）とを互いに係合させることにより、図１５に示した装着状態とすることができる。
【０２００】
この第２の実施形態においても、マウント部１５１の開口は、撮像レンズユニット１１０が装着されていない時にはマウントバリア１５２により塞がれているが、撮像レンズユニット１１０が装着される時にはマウントバリア１５２は撮像レンズユニット１１０の押圧部１２０に押されてカメラ本体内部に向かって後退する。
【０２０１】
この後退の途中に、押圧部１２０とマウントバリア１５２に形成されているグランド接点１３０とが接触し、その結果、押圧部１２０に接続されている撮像レンズユニット１１０側のグランドである導体１２４と、バネ１７１を介してグランド接点１３０に接続されているカメラ本体１５０側のグランドである導体１７４とが互いに接続され、撮像レンズユニット１１０のグランドとカメラ本体１５０側のグランドとが同電位となる。
【０２０２】
こうして、バネ１７１を介して撮像レンズユニット１１０のグランドとカメラ本体１５０側のグランドとが同電位となった後に、撮像レンズユニット１１０に押されてカメラ本体１５０内部に向けて押圧されてきたマウントバリア１５２の背面１５２ａが、前記の接点部材１９０に接触する。
【０２０３】
この接点部材１９０、および接点部材１９０を支持し、接点部材１９０をカメラ本体１５０側のグランドである導体１７４と接続する支持部材１９１は、低インピーダンスの部材で構成されているので、撮像レンズユニット１１０のグランドとカメラ本体１５０側のグランドとの接触状態を十分に低いインピーダンスとすることができる。
【０２０４】
このように、第２の実施形態では、撮像レンズユニット１１０のグランドとカメラ本体１５０のグランドとは、第１の実施形態におけるバネ１７１（図５参照）を介してのグランドよりも低インピーダンスで接続されるので、このカメラシステムは静電気の放電による破壊に対してより安全なものとなる。
【０２０５】
こうして、撮像レンズユニット１１０のグランドとカメラ本体１５０のグランドとが同電位となった状態で、撮像レンズユニット１１０がカメラ本体内部まで挿入され、撮像レンズユニット１１０がレンズ光軸を中心に所定の方向に回転されることにより前述のバヨネット爪１０１（図１参照）とバヨネット爪係合部１０２（図１参照）とが係合され、それとともに、本体側電気接点１７０と撮像レンズユニット側電気接点１２１とが接続される。
【０２０６】
なお、本発明による方式は必ずしもカメラシステムに限ったことではなく、第１の電子機器がレンズユニットであり、第２の電子機器が、該レンズユニットから画像信号を受け取って信号処理を行う画像処理信号処理部を備えた電子ゲーム機本体であってもよい。また、第１の電子機器は音楽信号機億部を有する音楽信号記憶装置であり、第2の電子機器は前記音楽信号記憶装置と通信を行い、前記音楽記憶装置から音楽信号を受け取って前記音楽信号に基づいて再生を行う再生機構を備えた音楽再生プレーヤーであってもよい。また、第１の電子機器は撮像光学系と撮像素子を有する撮像レンズユニットであり、第２の電子機器は前記撮像レンズユニットと通信を行い該撮像レンズユニットから画像信号を受け取って信号処理を行う画像信号処理部を備えた自動車であってもよい。
それ以外に、ユニットどうしの接続やカバー付きのコネクタ部分などにも利用可能である。
【図面の簡単な説明】
【０２０７】
【図１】本発明のカメラシステムの各実施形態に共通の外観図である。
【図２】カメラシステムの撮像レンズユニット装着時のカメラ本体を示す図である。
【図３】本発明のカメラシステムの各実施形態に共通のブロック図である。
【図４】第１の実施形態のカメラシステムの撮像レンズユニット装着前の断面図である。
【図５】第１の実施形態のカメラシステムの撮像レンズユニット装着後の断面図である。
【図６】撮像レンズユニットに形成された押圧部の一態様を示す図である。
【図７】撮像レンズユニットに形成された押圧部の他の態様を示す図である。
【図８】マウントバリアに形成されたグランド接点の一態様を示す図である。
【図９】マウントバリアに形成されたグランド接点の他の態様を示す図である。
【図１０】各種態様のカメラ本体および撮像レンズユニットの組み合わせの成否を示す図である。
【図１１】バヨネット爪部の一態様を示す図である。
【図１２】バヨネット爪電気接点部の一態様を示す図である。
【図１３】バヨネット爪電気接点部の詳細を示す図である。
【図１４】第２の実施形態のカメラシステムの撮像レンズユニット装着前の断面図である。
【図１５】第２の実施形態のカメラシステムの撮像レンズユニット装着後の断面図である。
【符号の説明】
【０２０８】
１００    カメラシステム
１０１，１０３    バヨネット爪
１０２    バヨネット爪係合部
１１０    撮像レンズユニット
１１１    撮影光学系
１１２    撮像素子
１１３    アナログ信号処理ブロック
１１４    Ａ／Ｄ変換器
１１５    パラレル／シリアル変換伝送インターフェース
１１６    ＡＥ／ＡＦ制御部
１１７    サブＣＰＵ
１１８    撮像レンズユニット操作部
１１９    ＤＣ／ＤＣコンバータ
１２０    押圧部
１２１    撮像レンズユニット側電気接点
１２２    外装
１２４    導体
１３０，１３１，１３２    グランド接点
１３３  平板
１４１，１４２    突起
１５０    カメラ本体
１５１    マウント部
１５２    マウントバリア
１５３    カメラ本体操作部
１５４    ＣＰＵ
１５５    パラレル／シリアル変換伝送インターフェース
１５６    メモリコントローラ
１５７    Ｄ／Ａ変換器
１５８    表示部
１５９    メディアインターフェース
１６０    コネクタ
１６１    メモリバッファ
１６２    信号処理ブロック
１６３    圧縮伸長ブロック
１６４    電源部
１７０    本体側電気接点
１７１    バネ
１７２    マウントホルダ
１７３    回路基板
１７４    導体
１７５    外装
１８０    記憶媒体
１９０    接点部材
１９１    支持部材
【図１】
2007093956.tif 000003
【図２】
2007093956.tif 000004
【図３】
2007093956.tif 000005
【図４】
2007093956.tif 000006
【図５】
2007093956.tif 000007
【図６】
2007093956.tif 000008
【図７】
2007093956.tif 000009
【図８】
2007093956.tif 000010
【図９】
2007093956.tif 000011
【図１０】
2007093956.tif 000012
【図１１】
2007093956.tif 000013
【図１２】
2007093956.tif 000014
【図１３】
2007093956.tif 000015
【図１４】
2007093956.tif 000016
【図１５】
2007093956.tif 000017